【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
ディスプレイ上のグラフィック要素をナビゲートする方法であって、
グラフィック要素のデータベースからグラフィック要素の第１のサブセットを提供するステップであって、前記グラフィック要素の第１のサブセットは、グリッドパターンで配列される、ステップと、
前記ディスプレイ上の前記グラフィック要素の第１のサブセット内の複数のグラフィック要素のうちの１つのグラフィック要素の位置を、該１つのグラフィック要素の水平方向および垂直方向の動きを指示するユーザ入力に応答して調整するステップと、
前記グラフィック要素のデータベースから、グラフィック要素の第２のサブセットを提供するステップであって、前記グラフィック要素の第２のサブセットは、前記ディスプレイ上の前記第１のサブセット内の前記１つのグラフィック要素を含む、ステップと、
を含む、前記方法。
【請求項２】
ユーザ入力に応答して、少なくとも１つの第２のグラフィック要素を選択するステップと、
前記選択された少なくとも１つの第２のグラフィック要素の外観を調整して、前記選択された少なくとも１つの第２のグラフィック要素に関連付けられた特定のコンテンツの情報を明らかにするステップと、
をさらに含む、請求項１に記載の方法。
【請求項３】
ユーザ入力に応答して、前記選択された少なくとも１つの第２のグラフィック要素に関連付けられた前記特定のコンテンツを実行するステップをさらに含む、請求項２に記載の方法。
【請求項４】
各グラフィック要素は特定のコンテンツを表し、前記グリッドパターンのグラフィック要素は、前記特定のコンテンツに関連する少なくとも１つの変数にしたがって編成される、請求項１に記載の方法。
【請求項５】
前記特定のコンテンツに関連する前記少なくとも１つの変数は、前記特定のコンテンツに関する英数字の指定とジャンルのうちの少なくとも１つを含む、請求項４に記載の方法。
【請求項６】
前記第１のサブセットは、前記グラフィック要素の第１のサブセットの表示された部分の外側の予め定義されたエリア内にある少なくとも１つの追加グラフィック要素を含む、請求項１に記載の方法。
【請求項７】
前記少なくとも１つのグラフィック要素が前記予め定義されたエリアの境界を超えると、前記少なくとも１つのグラフィック要素を前記グリッドパターンでロードするコンテナは、前記表示された部分の外側の前記予め定義されたエリアの片側から、前記予め定義されたエリアの反対側に移動される、請求項６に記載の方法。
【請求項８】
移動されると、前記コンテナは、前記少なくとも１つのグラフィック要素をアンロードし、少なくとも１つの第２のグラフィック要素をロードする、請求項７に記載の方法。
【請求項９】
前記グラフィック要素の第１のサブセットを提供するステップは、
前記グラフィック要素の第１のサブセットを前記ディスプレイの第１の予め定義されたエリア内に生成するステップと、
前記生成されたグラフィック要素の第１のサブセットの一部分を表示するための、前記第１の予め定義されたエリア内の第２の予め定義されたエリアを選択するステップであって、前記第２の予め定義されたエリアの外にある生成されたグラフィック要素は前記ディスプレイ上で可視ではない、ステップと、
を含む、請求項１に記載の方法。
【請求項１０】
前記複数のグラフィック要素のうちの１つのグラフィック要素の位置を調整すると、前記グラフィック要素の第１のサブセットは連続ユニットとして動く、請求項９に記載の方法。
【請求項１１】
前記複数のグラフィック要素のうちの１つのグラフィック要素の位置を調整するすると、前記第２の予め定義されたエリア内の前記生成されたグラフィック要素の一部分は、前記第２の予め定義されたエリアの外に移動して前記ディスプレイ上で可視ではなくなり、前記第２の予め定義されたエリアの外にある前記生成されたグラフィック要素の一部分は、前記第２の予め定義されたエリアの中に移動して前記ディスプレイ上で可視になる、請求項９に記載の方法。
【請求項１２】
少なくとも１つの生成されたグラフィック要素が、前記第１の予め定義されたエリアの境界を超えるとき、前記方法は、前記少なくとも１つの生成されたグラフィック要素をロードするコンテナを前記境界の反対側に配置して、前記コンテナをアンロードするのを避けるステップをさらに含む、請求項１１に記載の方法。
【請求項１３】
前記コンテナを配置した後、前記方法は、前記少なくとも１つのグラフィック要素に関連付けられたデータをアンロードするステップと、少なくとも１つの第２のグラフィック要素に関連付けられたデータをロードするステップとをさらに含む、請求項１２に記載の方法。
【請求項１４】
前記少なくとも１つのグラフィック要素に関連付けられたデータは、画像、タイトル、レーティング、およびユニフォームリソースロケータ（ＵＲＬ）のうちの少なくとも１つを含む、請求項１３に記載の方法。
【請求項１５】
前記グラフィック要素のデータベースからグラフィック要素の第１のサブセットを提供するステップは、前記グラフィックス要素の第１のサブセットをディスプレイに表示するステップをさらに含み、前記グラフィック要素のデータベースからグラフィック要素の第２のサブセットを提供するステップは、前記グラフィックス要素の第２のサブセットをディスプレイに表示するステップをさらに含む、請求項１に記載の方法。
【請求項１６】
前記グラフィック要素の第１のサブセット内の複数のグラフィック要素のうちの１つのグラフィック要素の位置を調整するステップは、前記グラフィック要素の第１のサブセット内の前記複数のグラフィック要素のうちの１つのグラフィック要素の前記位置を、前記ディスプレイの中心の点に調整するステップを含む、請求項１に記載の方法。
【請求項１７】
コンテンツを検索する機器であって、
パターンで配列された複数のグラフィック要素を含むメモリと、
前記メモリに結合されたディスプレイインタフェースであって、表示装置が前記パターンの第１の部分を表示できるように、前記パターンの第１の部分を前記表示装置に提供するディスプレイインタフェースと、
前記提供されたパターン内の前記表示された複数のグラフィック要素の１つのグラフィック要素について水平方向と垂直方向の双方の所望の動きを指示するユーザ入力を受け取る、ユーザインタフェースと、
前記ユーザインタフェースおよび前記ディスプレイインタフェースに結合されたコントローラであって、前記コントローラは、前記ユーザ入力に応答して前記１つのグラフィック要素の表示位置を調整し、前記表示位置の前記調整は、前記ディスプレイインタフェースが前記表示装置に前記パターンの第２の部分を提供することをさらに含む、コントローラと、
を備えた、前記機器。
【請求項１８】
前記メモリに含まれる前記複数のグラフィック要素のパターンは、前記表示装置の表示エリアより大きい、請求項１７に記載の機器。
【請求項１９】
前記ユーザ入力は、タッチパネルリモート装置において行われる、請求項１７に記載の機器。
【請求項２０】
前記ユーザ入力は、運動検知リモートコントローラを用いたジェスチャである、請求項１７に記載の機器。
【請求項２１】
少なくとも１つの第２のグラフィック要素を選択する前記ユーザ入力に応答して、前記コントローラは、前記選択された少なくとも１つの第２のグラフィック要素に関連付けられた特定のコンテンツの情報を明らかにするように、強調表示された少なくとも１つの第２のグラフィック要素の外観を調整し、前記調整は、前記ディスプレイインタフェースが前記情報を前記表示装置に提供することを含む、請求項１７に記載の機器。
【請求項２２】
前記コントローラは、ユーザ入力に応答して、前記選択された少なくとも１つの第２のグラフィック要素に関連付けられた前記特定のコンテンツを実行する、請求項２１に記載の機器。
【請求項２３】
各グラフィック要素は特定のコンテンツを表し、前記パターンの前記複数のグラフィック要素は、前記特定のコンテンツに関連する少なくとも１つの変数にしたがって編成される、請求項１７に記載の機器。
【請求項２４】
前記特定のコンテンツに関連する前記少なくとも１つの変数は、前記特定のコンテンツに関する英数字の指定とジャンルのうちの少なくとも１つを含む、請求項２３に記載の機器。
【請求項２５】
前記パターンの前記第１の部分は、前記パターンの前記第１の部分の表示された部分の外の予め定義されたエリア内にある少なくとも１つの追加グラフィック要素を含む、請求項１７に記載の機器。
【請求項２６】
前記少なくとも１つのグラフィック要素が前記予め定義されたエリアの境界を超えると、前記コントローラは、前記少なくとも１つのグラフィック要素をロードするコンテナを、前記表示された部分の外にある前記予め定義されたエリアの片側から、前記予め定義されたエリアの反対側にさらに移動させる、請求項２５に記載の機器。
【請求項２７】
移動させると、前記コントローラは、前記コンテナに、前記少なくとも１つのグラフィック要素をアンロードさせ、少なくとも１つの第２のグラフィック要素をロードさせる、請求項２６に記載の機器。
【請求項２８】
前記ディスプレイインタフェースは、前記第１の部分が前記表示装置の第１の予め定義されたエリア内になるように前記パターンの前記第１の部分を提供し、前記コントローラは、前記パターンの前記提供された第１の部分の一部分を表示するための前記第１の予め定義されたエリア内部の第２の予め定義されたエリアを選択し、前記第２の予め定義されたエリアの外の提供されたグラフィック要素は、前記表示装置上で可視ではない、請求項１７に記載の機器。
【請求項２９】
ユーザ入力に応答して前記複数のグラフィック要素のうちの１つのグラフィック要素の表示位置を調整すると、前記パターンの前記第１の部分は連続ユニットとして動く、請求項２８に記載の機器。
【請求項３０】
前記複数のグラフィック要素の少なくとも１つのグラフィック要素の表示位置を調整すると、前記コントローラは、前記第２の予め定義されたエリア内にある前記提供されたパターンの一部分を、この部分が前記表示装置上で可視でなくなるように前記第２の予め定義されたエリアの外に移動させ、前記提供されたパターンの別の部分を、この部分が前記表示装置上で可視になるように、前記第２の予め定義されたエリアの外から前記第２の予め定義されたエリアの中へ移動させる、請求項２８に記載の機器。
【請求項３１】
前記パターンの前記一部分内にある少なくとも１つのグラフィック要素が、前記第１の予め定義されたエリアの境界を超えると、前記コントローラは、前記少なくとも１つの生成されたグラフィック要素をロードするコンテナを前記境界の反対側に配置して、前記コンテナをアンロードするのを避ける、請求項３０に記載の機器。
【請求項３２】
前記コンテナを配置すると、前記コントローラは、前記少なくとも１つのグラフィック要素に関連付けられたデータをアンロードし、少なくとも１つの第２のグラフィック要素に関連付けられたデータをロードする、請求項３１に記載の機器。
【請求項３３】
前記少なくとも１つのグラフィック要素に関連付けられたデータは、画像、タイトル、レーティングおよびユニフォームリソースロケータの少なくとも１つを含む、請求項３２に記載の機器。
【請求項３４】
ディスプレイ上のグラフィック要素をナビゲートするグラフィックユーザインタフェース機器において、
グラフィック要素のデータベースからグラフィック要素の第１のサブセットを提供する手段であって、前記グラフィック要素の第１のサブセットは、２次元パターンで配列される、手段と、
前記ディスプレイ上の前記グラフィック要素の第１のサブセット内の複数のグラフィック要素のうちの１つのグラフィック要素の位置を、該１つのグラフィック要素について水平方向および垂直方向の移動を指示するユーザ入力に応答して調整する手段と、
前記グラフィック要素のデータベースからグラフィック要素の第２のサブセットを提供する手段であって、前記グラフィック要素の第２のサブセットは、前記ディスプレイ上の前記第１のサブセット内の前記１つのグラフィック要素を含む、手段と、
を備えた、前記機器。